(57)【要約】【課題】奥行感のある立体的な美観を有するアクセサリランプを提供すること。【解決手段】本発明に係るアクセサリランプ１を、光源であるＬＥＤ６と、該ＬＥＤ６からの光を前方に向けて照射させるレンズ部ＡとＬＥＤ６よりも後方へと全反射させる複数の全反射面９ｂ，９ｃを有するレンズ部Ｂを備えたインナレンズ９と、前記ＬＥＤ６よりも後方に位置し、前記インナレンズ９のレンズＢから出射する光をランプ軸ＡＸと略平行な光となるよう反射させるリフレクタ７とを含んで構成する。このアクセサリランプ１によれば、ＬＥＤ６よりも奥側に位置するリフレクタ７を光らせることができるため、視認者はリフレクタ７の位置を奥行と認識することとなり、当該アクセサリランプ１は奥行感のある立体的な美観を呈する。【選択図】図４
2014175225.tif 000002
【特許請求の範囲】
【請求項１】
光源であるＬＥＤと、
該ＬＥＤからの光を前方に向けて照射させるレンズ部Ａと、ＬＥＤよりも後方へと全反射させる複数の全反射面を有するレンズ部Ｂを備えたインナレンズと、
前記ＬＥＤよりも後方に位置し、前記インナレンズのレンズＢから出射する光をランプ軸と略平行な光となるよう反射させるリフレクタと、
を備えることを特徴とするアクセサリランプ。
【請求項２】
前記リフレクタのレンズＢから光が照射される領域以外をブラックアウトする黒色樹脂によって構成されたホルダによって前記リフレクタを保持したことを特徴とする請求項１記載のアクセサリランプ。
【請求項３】
前記ＬＥＤから出射する光軸から径方向外側７．５°の角度の光を前記インナレンズのレンズ部Ａに入射させ、径方向内側７．５°の光をレンズ部Ｂに入射させることを特徴とする請求項１又は２記載のアクセサリランプ。
【請求項４】
前記インナレンズに、前記リフレクタによって反射した光が通過するための開口部を形成したことを特徴とする請求項１〜３の何れかに記載のアクセサリランプ。
【請求項５】
前記インナレンズをレンズカット無しのクリアなレンズで構成したことを特徴とする請求項１〜４の何れかに記載のアクセサリランプ。
【請求項６】
前記リフラクタには、前記レンズＢから出射する光の焦点が位置するように反射面が形成されていることを特徴とする請求項１〜５の何れかに記載のアクセサリランプ。
【発明の詳細な説明】
【技術分野】
【０００１】
本発明は、ＬＥＤ（発光ダイオード）を光源とするアクセサリランプに関するものである。
【背景技術】
【０００２】
車両前端の左右にはアクセサリランプが配置されるが、近年、その光源に高輝度で長寿命のＬＥＤが使用されてきつつあるが、その一例を図５に示す。
【０００３】
即ち、図５は従来のアクセサリランプの側断面図であり、図示のアクセサリランプ１０１は、ハウジング１０２とその前面開口部を覆うアウタレンズ１０３によって画成された灯室１０４内に、円板状の基板１０５の外周に実装された光源である複数のＬＥＤ１０６と、前記基板５の前方（図５の左方）に配置された円板状のリフレクタ１０７と、該リフレクタ１０７の前方に配置された有底円筒状のホルダ１０８と、該ホルダ１０８によってその外周が保持された有底円筒状のインナレンズ１０９を収容して構成されている。
【０００４】
斯かるアクセサリランプ１０１において、複数のＬＥＤ１０６に電流が供給されてこれらのＬＥＤ１０６が発光すると、その光の一部は直射光Ｌ１’としてそのままアウタレンズ１０３を通過して前方に向かって照射され、他の光はインナレンズ１０９を通過した後にアウタレンズ１０３を通って透過光Ｌ２’として前方へと照射される。
【０００５】
ところで、特許文献１には、図６の部分平断面図に示すように、灯室２０４内に、１つのＬＥＤ２０６とリフレクタ２０７及び導光レンズ２０９を収容し、該導光レンズ２０９にライトガイド部２０９Ａとレンズ部２０９Ｂとを形成する構成が提案されている。これによれば、１つのＬＥＤ２０６からの入射光がレンズ部２０９Ｂによってライトガイド部２０９Ａとリフレクタ２０７側に振り分けられ、ライトガイド部２０９Ａを導光する光Ｌ１”が該ライトガイド部２０９Ａの裏面に形成されたレンズカット２０９ａで反射して前方（図６の下方）へと照射され、レンズ部２０９Ｂにおいて全反射してリフレクタ２０７側へと向かう光Ｌ２”が焦点Ｆに集光した後にリフレクタ２０７によって反射して前方へと照射される。
【先行技術文献】
【特許文献】
【０００６】
【特許文献１】特開２０１２−１６９１７０号公報
【発明の概要】
【発明が解決しようとする課題】
【０００７】
図５に示すアクセサリランプ１０１にあっては、奥行感は発光しているＬＥＤ１０６の奥行寸法Ｐ１によって決まり、視認者には発光しているＬＥＤ１０６の位置を視覚的に奥行と認識する。
【０００８】
ところで、車両スペースによってアクセサリランプの奥行寸法が制限される場合、ＬＥＤの奥行寸法も制限を受けるため、当該アクセサリランプの奥行感のある立体的な美観を有する設計が困難であるという問題があった。尚、特許文献１において提案された構成においては、リフレクタは灯具端部の一部にしか設けられていないため、灯具全体の奥行感を高めることは不可能である。
【０００９】
本発明は上記問題に鑑みてなされたもので、その目的とする処は、奥行感のある立体的な美観を有するアクセサリランプを提供することにある。
【課題を解決するための手段】
【００１０】
上記目的を達成するため、請求項１記載の発明は、
光源であるＬＥＤと、
該ＬＥＤからの光を前方に向けて照射させるレンズ部Ａと、ＬＥＤよりも後方へと全反射させる複数の全反射面を有するレンズ部Ｂを備えたインナレンズと、
前記ＬＥＤよりも後方に位置し、前記インナレンズのレンズＢから出射する光をランプ光軸と略平行な光となるよう反射させるリフレクタと、
を備えることを特徴とする。
【００１１】
請求項２記載の発明は、請求項１記載の発明において、前記リフレクタのレンズＢから光が照射される領域以外をブラックアウトする黒色樹脂によって構成されたホルダによって前記インナレンズを保持したことを特徴とする。
【００１２】
請求項３記載の発明は、請求項１又は２記載の発明において、前記ＬＥＤから出射する光軸から径方向外側７．５°の角度の光を前記インナレンズのレンズ部Ａに入射させ、径方向内側７．５°の光をレンズ部Ｂに入射させることを特徴とする。
【００１３】
請求項４記載の発明は、請求項１〜３の何れかに記載の発明において、前記インナレンズに、前記リフレクタによって反射した光が通過するための開口部を形成したことを特徴とする。
【００１４】
請求項５記載の発明は、請求項１〜４の何れかに記載の発明において、前記インナレンズをレンズカット無しのクリアなレンズで構成したことを特徴とする。
【００１５】
請求項６記載の発明は、請求項１〜５の何れかに記載の発明において、前記リフラクタには、前記レンズＢから出射する光の焦点が位置するように反射面が形成されていることを特徴とする。
【発明の効果】
【００１６】
請求項１及び３記載の発明によれば、複数の各ＬＥＤから出射する光の一部は、インナレンズのレンズ部Ｂの全反射面でＬＥＤよりも後方へと全反射し、ＬＥＤよりも後方に配されたリフレクタで反射してランプ軸と略平行な光となって前方に向かって照射されるため、ＬＥＤよりも奥側に位置するリフレクタを光らせることができ、視認者はリフレクタの位置を奥行と認識することとなり、車両スペースによって奥行寸法が制限されるアクセサリランプであっても、奥行感のある立体的な美観を呈することができる。
【００１７】
請求項２記載の発明によれば、インナレンズのレンズＢから光が照射される領域以外をホルダによってブラックアウトするようにしたため、リフレクタとそれ以外の黒色部分とを明確に区別することができ、当該アクセサリランプの奥行感が強調される。
【００１８】
請求項４記載の発明によれば、リフレクタによって反射した光がインナレンズによって阻害されることなく該インナレンズに形成された開口部を通過して前方へと照射されるため、光量が高められるとともに、当該アクセサリランプの奥行感が高められて立体的な美観が得られる。
【００１９】
請求項５記載の発明によれば、インナレンズをレンズカット無しのクリアなレンズで構成したため、透過光と反射光によってＬＥＤが実際の数量以上に見え、キラキラとしたクリスタル感が得られる。
【図面の簡単な説明】
【００２０】
【図１】本発明に係るアクセサリランプの分解斜視図である。
【図２】本発明に係るアクセサリランプの側面図である。
【図３】本発明に係るアクセサリランプの正面図である。
【図４】図３のＸ−Ｘ線断面図である。
【図５】従来のアクセサリランプの側断面図である。
【図６】特許文献１において提案された車両用灯具の部分平断面図である。
【発明を実施するための形態】
【００２１】
以下に本発明の実施の形態を添付図面に基づいて説明する。
【００２２】
図１は本発明に係るアクセサリランプの分解斜視図、図２は同アクセサリランプの側面図、図３は同アクセサリランプの正面図、図４は図３のＸ−Ｘ線断面図であって、図示のアクセサリランプ１は、車両の前端部左右に配置される灯具である。尚、左右のアクセサリランプ１は、左右対称であって、その基本構造は左右で同じであるため、以下、一方についてのみ図示及び説明する。
【００２３】
本実施の形態に係るアクセサリランプ１は、車両や一般照明等に用いられるランプであり、前面が開口する有底円筒状のハウジング２とその前面開口部を覆う透明なアウタレンズ３によって画成された灯室４内に、円板状の基板５の外周に実装された光源である６つのＬＥＤ６と、前記基板５の前方（図４の左方）に配置された円板状のリフレクタ７と、該リフレクタ７の前方に配置された有底円筒状のホルダ８と、該ホルダ８によってその外周が保持された有底円筒状のインナレンズ９を収容して構成され、前後方向にランプ軸ＡＸを有している。
【００２４】
上記ハウジング２は、光不透過性樹脂によって有底円筒状に一体成形されており、図４に示すように、その背面の中心部にはプラグ１０が外側から差し込まれて取り付けられており、このプラグ１０から前方へと延びる上下２本の端子１１は前記基板５に差し込まれて接続されている。そして、ハウジング２の前面開口部の周縁に円板状の前記アウタレンズ３の外周が嵌め込まれて接着されることによって、該アウタレンズ３とハウジング２によって前記灯室４が画成されている。
【００２５】
６つの前記ＬＥＤ６は砲弾型ＬＥＤであって、図１に示すように、これらのＬＥＤ６は、円板状の基板５の前面外周に等角度ピッチ（６０°ピッチ）で周方向に等間隔で実装されている。
【００２６】
前記リフレクタ７は、樹脂にて円板状に一体成形されており、図１に示すように、その外周のＬＥＤに６対応する６箇所には、各ＬＥＤ６が貫通するための円孔７ａがそれぞれ形成されている。又、リフレクタ７の前面中方部には、各円孔７ａ（ＬＥＤ６）に向かって径方向外方へと放射状に延びる花弁状の６つの反射面７Ａが突設されている。これらの反射面７Ａは放物面状に形成されており、これには反射率を高めるためのアルミ蒸着等の反射処理が施されている。又、リフレクタ７のそれぞれの反射面７Ａには、ＬＥＤ６から出射した光のうち、後述のインナレンズ９のレンズＢへと入射し、該レンズＢの全反射面９ｂ，９ｃで反射した後にレンズＢから出射する光の焦点位置を備えている。
【００２７】
前記ホルダ８は、黒色樹脂によって有底円筒状に一体成形されており、図１に示すように、リフレクタ７に当接する底壁の外周には、リフレクタ７の外周６箇所に形成された円孔７ａに連通する円孔（ＬＥＤ６が貫通する円孔）８ａが形成されている。又、このホルダ８の底壁には、リフレクタ７の前面に突設された６つの反射面７Ａが嵌合するための花弁状の６つの開口部８Ａが形成されている。
【００２８】
前記インナレンズ９は、アクリルやポリカーボネイト等の透明樹脂によって有底円筒状に一体成形されており、これはレンズカット無しのクリアなレンズとして構成されている。ここで、図４に示すように、ハウジング２とアウタレンズ３によって画成された灯室４に、６つのＬＥＤ６が実装された基板５と、リフレクタ７と、ホルダ８及びインナレンズ９が組み込まれた状態では、６つのＬＥＤ６はリフレクタ７とホルダ８にそれぞれ形成された円孔７ａ，８ａ（図１参照）をそれぞれ貫通してホルダ８からインナレンズ９に向かって突出している。又、リフレクタ７の前面に突設された６つの反射面７Ａは、ホルダ８に形成された同数の開口部８Ａに嵌合してホルダ８からインナレンズ９に向かって突出している。従って、本実施の形態に係るアクセサリランプ１においては、図４に示すように、リフレクタ７の反射面７ＡはＬＥＤ６よりも後方に位置しており、その奥行寸法Ｐ２はＬＥＤ６の奥行寸法Ｐ１よりも大きく設定されている（Ｐ２＞Ｐ１）。尚、本実施の形態に係るアクセサリランプ１の奥行寸法は、車両スペースの関係から図示のＰ３に制限されている。
【００２９】
而して、インナレンズ９の外筒部は、６つの各ＬＥＤ６からの光の一部（具体的には、図４に示すように各ＬＥＤ６の光軸から径方向外側７．５°の角度に向けて出射される光）を導光させて透過光Ｌ１として前方に向けて照射させるレンズ部Ａを構成している。
【００３０】
又、インナレンズ９の底壁には、図１及び図３に示すように、ホルダ８に形成された開口部８Ａに対応する箇所に該開口部８Ａと同形状の６つの花弁状の開口部９Ａが形成されており、底壁の開口部９Ａを除く部分は、ＬＥＤ６からの光の一部（具体的には、図４に示すように各ＬＥＤ６の光軸から径方向内側７．５°の角度に向けて出射される光）を全反射させてリフレクタ７に向けて照射させるレンズＢを構成している。ここで、レンズＢの背面の各ＬＥＤ６に対向する箇所には凹球面状の入射面９ａがそれぞれ形成されており、レンズＢの前面には２つの全反射面９ｂ，９ｃが形成されている。尚，図４において、１２はアクセサリランプ１を保持するフォグブラケットである。
【００３１】
以上のように構成されたアクセサリランプ１において、不図示の電源からプラグ１０の端子１１及び基板５を経て各ＬＥＤ６に電流が供給されると、各ＬＥＤ６が起動されて発光するが、その光の一部は図４に示すようにインナレンズ９の入射面９ａから該インナレンズ９内に入射し、そのままレンズＡを透過して透過光Ｌ１としてアウタレンズ３を通って前方へと照射される。
【００３２】
他方、インナレンズ９の入射面９ａから該インナレンズ９内に入射した他の一部の光は、レンズＢの全反射面９ｂ，９ｃで計２回全反射してリフレクタ７に向けて後方へと出射し、リフレクタ７の反射面７Ａで反射して各ＬＥＤ６の光軸と略平行な反射光Ｌ２としてホルダ８の開口部８Ａとインナレンズ９の開口部９Ａを通過して前方へと向かい、アウタレンズ３を通過して前方へと照射される。
【００３３】
以上のように、本実施の形態に係るアクセサリランプ１においては、６つの各ＬＥＤ６から出射する光の一部は、インナレンズ９のレンズ部Ｂの全反射面９ｂ，９ｃでＬＥＤ６よりも後方へと全反射し、ＬＥＤ６よりも後方に配されたリフレクタ７の反射面７Ａで反射してランプ軸ＡＸと略平行な反射光Ｌ２となって前方に向かって照射されるため、ＬＥＤ６よりも奥側に位置するリフレクタ７の反射面７Ａを光らせることができ、視認者はリフレクタ７の反射面７Ａの位置（図４に示す奥行寸法Ｐ２の位置）を奥行と認識することとなり、車両スペースによって奥行寸法が図４に示すＰ３に制限される当該アクセサリランプで１あっても、奥行感のある立体的な美観を呈することができる。
【００３４】
又、本実施の形態では、ホルダ８を黒色樹脂によって構成し、インナレンズ９のレンズＢから光が照射される領域以外をホルダ８によってブラックアウトするようにしたため、リフレクタ７とそれ以外の黒色部分とを明確に区別することができ、当該アクセサリランプ１の奥行感が強調されるという効果が得られる。そして、本実施の形態では、リフレクタ７によって反射した反射光Ｌ２がインナレンズ９によって阻害されることなく該インナレンズ９に形成された開口部９Ａを通過して前方へと照射されるため、光量が高められるとともに、当該アクセサリランプ１の奥行感が高められて立体的な美観が得られる。
【００３５】
更に、本実施の形態では、インナレンズ９をレンズカット無しのクリアなレンズで構成したため、透過光Ｌ１と反射光Ｌ２によって６つのＬＥＤ６が実際の数量以上に見え、キラキラとしたクリスタル感が得られる。
【符号の説明】
【００３６】
１          アクセサリランプ
２          ハウジング
３          アウタレンズ
４          灯室
５          基板
６          ＬＥＤ
７          リフレクタ
７Ａ        リフレクタの反射面
７ａ        リフレクタの円孔
８          ホルダ
８Ａ        ホルダの開口部
８ａ        ホルダの円孔
９          インナレンズ
９Ａ        インナレンズの開口部
９ａ        インナレンズの入射面
９ｂ，９ｃ  インナレンズの全反射面
１０        プラグ
１１        端子
１２        フォグブラケット
Ａ，Ｂ      インナレンズのレンズ部
ＡＸ        ランプ軸
Ｌ１        透過光
Ｌ２        反射光
Ｐ１        ＬＥＤの奥行寸法
Ｐ２        リフレクタの奥行寸法
Ｐ３        アクセサリランプの奥行寸法
【図１】
2014175225.tif 000003
【図２】
2014175225.tif 000004
【図３】
2014175225.tif 000005
【図４】
2014175225.tif 000006
【図５】
2014175225.tif 000007
【図６】
2014175225.tif 000008